(57)【要約】【課題】太陽電池パネルのサイズに応じた長さとすることができる太陽電池モジュール用フレームを提供する。【解決手段】太陽電池モジュール用フレーム１１は、矩形状の太陽電池パネル１０の全周を支持し、太陽電池パネル１０の側縁１０ａを支持する側縁支持部２０と、太陽電池パネル１０の角部１０ｂを支持する角支持部３０とを備える。側縁支持部２０は、太陽電池パネル１０の一側縁を複数の支持片２１で支持する構成とされている。支持片２１は、太陽電池パネル１０の支持する側縁に沿った方向（長辺方向Ｘまたは短辺方向Ｙ）で並べて配置され、隣接する支持片２１と重なっている。【選択図】図１
2012253184.tif 000002
【特許請求の範囲】
【請求項１】
矩形状の太陽電池パネルの全周を支持する太陽電池モジュール用フレームであって、
前記太陽電池パネルの側縁を支持する側縁支持部と、
前記太陽電池パネルの角部を支持する角支持部とを備え、
前記側縁支持部は、前記太陽電池パネルの一側縁を複数の支持片で支持する構成とされており、
前記支持片は、前記太陽電池パネルの支持する側縁に沿った方向で並べて配置され、隣接する前記支持片と重なっていること
を特徴とする太陽電池モジュール用フレーム。
【請求項２】
請求項１に記載の太陽電池モジュール用フレームであって、
前記支持片は、前記太陽電池パネルの側縁がはめ込まれる内側溝部を有する内側支持片と、
前記太陽電池パネルの側縁または前記内側支持片がはめ込まれる外側溝部を有する外側支持片とで構成され、
前記内側支持片と前記外側支持片とは、前記内側支持片が前記外側溝部に密着して重なっていること
を特徴とする太陽電池モジュール用フレーム。
【請求項３】
請求項２に記載の太陽電池モジュール用フレームであって、
前記外側支持片は、前記外側溝部の前記外側支持片と前記内側支持片とが重ならない領域にスペーサを備えること
を特徴とする太陽電池モジュール用フレーム。
【請求項４】
請求項２に記載の太陽電池モジュール用フレームであって、
前記外側支持片は、前記外側溝部から外部に向かって前記外側支持片を貫通する排出孔を備えること
を特徴とする太陽電池モジュール用フレーム。
【請求項５】
請求項２から請求項４までのいずれか１つに記載の太陽電池モジュール用フレームであって、
前記外側溝部は、開口部に前記外側溝部の幅より狭く形成された段差部を備え、
前記太陽電池パネルの中央から側縁に向かう方向における前記内側支持片の長さは、前記段差部から前記外側溝部の底面までの長さより短いこと
を特徴とする太陽電池モジュール用フレーム。
【請求項６】
請求項１から請求項５までのいずれか１つに記載の太陽電池モジュール用フレームと、矩形状の太陽電池パネルとを備えた太陽電池モジュールであって、
前記支持片と前記太陽電池パネルとの間に充填材で形成された充填部を備えること
を特徴とする太陽電池モジュール。
【発明の詳細な説明】
【技術分野】
【０００１】
本発明は、太陽電池モジュール用フレームに関し、太陽電池モジュール用フレームを備える太陽電池モジュールに関する。
【背景技術】
【０００２】
従来、太陽電池モジュールは、太陽光等を受光して発電する太陽電池パネルが、アルミなどで形成されたフレームにはめ込まれた状態で架台に取り付けられる。上述したフレームを取り付けた架台として、太陽電池パネルおよび熱伝導シートを挟持して支持するフレームと、内部に制御回路等を収納した収納ボックスとの連結部に蝶番を用いることによって、フレームを開閉させて収納ボックスの内部を露出させる構造の太陽電池架台が利用されている（例えば、特許文献１参照。）。
【先行技術文献】
【特許文献】
【０００３】
【特許文献１】特開昭６１−３９５８４号公報
【発明の概要】
【発明が解決しようとする課題】
【０００４】
近年、エネルギー資源を確保するため、様々な場所に太陽電池モジュールを設置することが検討されている。太陽電池モジュールは、受光面の面積を増加させることで高出力化されるが、設置する箇所によってサイズを制限されることがある。また、太陽電池モジュールに接続される負荷が必要とする電力に応じて、適切な出力を選択することが要求されている。このような要望に応じて、様々なサイズの太陽電池モジュールが利用されている。
【０００５】
しかしながら、特許文献１に記載の太陽電池架台におけるフレームは、太陽電池パネルを囲周支持するため、太陽電池パネルのサイズに応じた長さとされており、太陽電池パネルを異なるサイズとする場合、フレームを加工して長さを調節するか、新たなフレームを作成しなければならなかった。つまり、異なるサイズの太陽電池パネルに対して、同じフレームで支持することができないという課題があった。
【０００６】
なお、太陽電池モジュールは、通常、屋外に設置されることが多いため、防水加工されていることが望ましい。複数の部材を積層して形成された太陽電池パネルでは、受光面および裏面は、耐水性を有する部材で覆われている。しかし、端面では、積層された部材の隙間から水分が浸透する虞があるため、端面を支持するフレームによって太陽電池パネルが保護（封止）されていることが望ましい。ここで、太陽電池パネルの外周のうち一部を支持する構造とした場合、端面の一部が保護されていないため、防水性を確保できないという問題がある。そのため、フレームは、太陽電池パネルのサイズに応じた長さとすることが望ましい。
【０００７】
本発明は、上記の課題を解決するためになされたものであり、太陽電池パネルの一側縁を複数の支持片で支持する構成とすることによって、サイズの異なる太陽電池パネルに対応することができる。つまり、隣接する支持片同士が重なる部分の長さを調節することで、側縁支持部の長さを太陽電池パネルのサイズに応じた長さとすることができる太陽電池モジュール用フレームを提供することを目的とする。
【０００８】
また、本発明は、太陽電池パネルのサイズに応じた長さとすることができる太陽電池モジュール用フレームを備えることによって、太陽電池パネルのサイズを適宜設定することができるため、設置する箇所に応じた適切なサイズの太陽電池モジュールを提供することを他の目的とする。
【課題を解決するための手段】
【０００９】
本発明に係る太陽電池モジュール用フレームは、矩形状の太陽電池パネルの全周を支持する太陽電池モジュール用フレームであって、前記太陽電池パネルの側縁を支持する側縁支持部と、前記太陽電池パネルの角部を支持する角支持部とを備え、前記側縁支持部は、前記太陽電池パネルの一側縁を複数の支持片で支持する構成とされており、前記支持片は、前記太陽電池パネルの支持する側縁に沿った方向で並べて配置され、隣接する前記支持片と重なっていることを特徴とする。
【００１０】
この構成によると、太陽電池パネルの一側縁を複数の支持片で支持する構成とすることによって、サイズの異なる太陽電池パネルに対応することができる。つまり、隣接する支持片同士が重なる部分の長さを調節することで、側縁支持部の長さを太陽電池パネルのサイズに応じた長さとすることができる。
【００１１】
本発明に係る太陽電池モジュール用フレームでは、前記支持片は、前記太陽電池パネルの側縁がはめ込まれる内側溝部を有する内側支持片と、前記太陽電池パネルの側縁または前記内側支持片がはめ込まれる外側溝部を有する外側支持片とで構成され、前記内側支持片と前記外側支持片とは、前記内側支持片が前記外側溝部に密着して重なっていることを特徴とする。
【００１２】
この構成によると、支持片に太陽電池パネルがはめ込まれる溝を形成することによって、太陽電池パネルを確実に支持する構造とすることができる。
【００１３】
本発明に係る太陽電池モジュール用フレームでは、前記外側支持片は、前記外側溝部の前記外側支持片と前記内側支持片とが重ならない領域にスペーサを備えることを特徴とする。
【００１４】
この構成によると、スペーサを設けて外側溝部の幅を狭めることによって、太陽電池パネルと支持片との間に充填される充填材の量を減少させることができる。また、外側溝部の幅と内側溝部の幅との差を小さくすることによって、外側溝部に多量の充填材を充填しない構成として、外側溝部からあまった充填材がはみ出すことを防ぐことができる。
【００１５】
本発明に係る太陽電池モジュール用フレームでは、前記外側支持片は、前記外側溝部から外部に向かって前記外側支持片を貫通する排出孔を備えることを特徴とする。
【００１６】
この構成によると、排出孔から空気や過剰な充填材を排出させることができ、外側溝部からあまった充填材がはみ出すことを防ぐことができる。
【００１７】
本発明に係る太陽電池モジュール用フレームでは、前記外側溝部は、開口部に前記外側溝部の幅より狭く形成された段差部を備え、前記太陽電池パネルの中央から側縁に向かう方向における前記内側支持片の長さは、前記段差部から前記外側溝部の底面までの長さより短いことを特徴とする。
【００１８】
この構成によると、段差部によって内側支持片を係止して、内側支持片が外側溝部の底面から離れることを防止している。
【００１９】
本発明に係る太陽電池モジュールは、本発明に係る太陽電池モジュール用フレームと、矩形状の太陽電池パネルとを備えた太陽電池モジュールであって、前記支持片と前記太陽電池パネルとの間に充填材で形成された充填部を備えることを特徴とする。
【００２０】
この構成によると、太陽電池パネルのサイズを適宜設定することができるため、設置する箇所に応じた適切なサイズの太陽電池モジュールを提供することができる。
【発明の効果】
【００２１】
本発明によると、太陽電池パネルの一側縁を複数の支持片で支持する構成とすることによって、サイズの異なる太陽電池パネルに対応することができる。つまり、隣接する支持片同士が重なる部分の長さを調節することで、側縁支持部の長さを太陽電池パネルのサイズに応じた長さとすることができる。
【００２２】
また、本発明によると、太陽電池パネルのサイズを適宜設定することができるため、設置する箇所に応じた適切なサイズの太陽電池モジュールを提供することができる。
【図面の簡単な説明】
【００２３】
【図１】本発明の実施の形態１に係る太陽電池モジュールの平面図である。
【図２Ａ】図１の矢符Ａ−Ａでの側縁支持部を主体に示す要部断面図である。
【図２Ｂ】図１の矢符Ｂ−Ｂでの側縁支持部を主体に示す要部断面図である。
【図２Ｃ】図１の矢符Ｃ−Ｃでの側縁支持部を主体に示す要部断面図である。
【図２Ｄ】図１の矢符Ｄ−Ｄでの断面図である。
【図３】外側支持片と内側支持片とのサイズを示す図であって、外側支持片および内側支持片を抜き出して示す説明図である。
【図４】図１の太陽電池モジュールの変形例１を示す平面図である。
【図５】図１の太陽電池モジュールの変形例２を示す平面図である。
【図６】本発明の実施の形態２に係る太陽電池モジュールの平面図である。
【図７Ａ】図６の矢符Ａ−Ａでの側縁支持部を主体に示す要部断面図である。
【図７Ｂ】図６の矢符Ｂ−Ｂでの側縁支持部を主体に示す要部断面図である。
【図７Ｃ】図６の矢符Ｃ−Ｃでの側縁支持部を主体に示す要部断面図である。
【図７Ｄ】図６の矢符Ｄ−Ｄでの断面図である。
【発明を実施するための形態】
【００２４】
＜実施の形態１＞
以下、本発明の実施の形態１に係る太陽電池モジュール用フレームおよび太陽電池モジュールについて、図面に基づいて説明する。なお、ハッチングは図の見易さを考慮して省略する。
【００２５】
図１は、本発明の実施の形態１に係る太陽電池モジュールの平面図である。
【００２６】
本発明の実施の形態１に係る太陽電池モジュール用フレーム１１は、矩形状の太陽電池パネル１０の全周を支持し、太陽電池パネル１０の側縁１０ａを支持する側縁支持部２０と、太陽電池パネル１０の角部１０ｂを支持する角支持部３０とを備える。側縁支持部２０は、太陽電池パネル１０の一側縁を複数の支持片２１で支持する構成とされている。支持片２１は、太陽電池パネル１０の支持する側縁に沿った方向（長辺方向Ｘまたは短辺方向Ｙ）で並べて配置され、隣接する支持片２１と重なっている。
【００２７】
この構成によると、太陽電池パネル１０の一側縁を複数の支持片２１で支持する構成とすることによって、サイズの異なる太陽電池パネル１０に対応することができる。つまり、隣接する支持片２１同士が重なる部分の長さを調節することで、側縁支持部２０の長さを太陽電池パネル１０のサイズに応じた長さとすることができる。以下では、隣接する支持片２１同士が重なる部分の長さを重複距離と呼び、本実施の形態では、長辺方向Ｘでの重複距離が距離Ｌ１とされている。
【００２８】
また、本発明の実施の形態１に係る太陽電池モジュール１は、太陽電池パネル１０と太陽電池モジュール用フレーム１１とを備える。
【００２９】
太陽電池パネル１０は、公知の方法で製造された太陽電池パネルであって、例えば、透光性基板上に、太陽電池セル、封止フィルム、および裏面保護シートが順に積層され、全体がラミネート封止された一体構造となっている。なお、透光性基板が受光面１０ｆ（後述する図２Ａ参照）側に配置され、裏面保護シートが裏面１０ｒ（後述する図２Ａ参照）側に配置されている。
【００３０】
太陽電池パネル１０は、矩形状である。なお、上述した長辺方向Ｘとは、太陽電池パネル１０の長辺側の側縁１０ａに沿った方向であって、短辺方向Ｙとは、太陽電池パネル１０の短辺側の側縁１０ａに沿った方向である。また、受光面１０ｆと裏面１０ｒとが対向する方向を厚さ方向Ｚ（後述する図２Ａ参照）と呼び、厚さ方向Ｚにおいて、太陽電池パネル１０を基準とした受光面１０ｆ側を上方と呼び、太陽電池パネル１０を基準とした裏面１０ｒ側を下方と呼ぶことがある。
【００３１】
支持片２１は、太陽電池パネル１０の側縁１０ａがはめ込まれる内側溝部２２ａ（後述する図２Ａおよび図２Ｂ参照）を有する内側支持片２２と、太陽電池パネル１０の側縁１０ａまたは内側支持片２２がはめ込まれる外側溝部２３ａ（後述する図２Ｂおよび図２Ｃ参照）を有する外側支持片２３とで構成されている。内側支持片２２と外側支持片２３とは、内側支持片２２が外側溝部２３ａに密着して重なっている。この構成によると、支持片２１に太陽電池パネル１０がはめ込まれる溝を形成することによって、太陽電池パネル１０を確実に支持する構造とすることができる。
【００３２】
側縁支持部２０および角支持部３０は、アルミニウムの押出加工によりそれぞれ成形されている。側縁支持部２０および角支持部３０を一体的に組み付けることによって、枠状に形成され、太陽電池パネル１０の全周を支持する。なお、以下では説明のため、太陽電池パネル１０の長辺側の側縁１０ａを支持する側縁支持部２０を長辺側の側縁支持部２０と呼び、太陽電池パネル１０の短辺側の側縁１０ａを支持する側縁支持部２０を短辺側の側縁支持部２０と呼ぶことがある。また、側縁支持部２０の長さとは、長辺側の側縁支持部２０の場合は長辺方向Ｘにおける長さを示し、短辺側の側縁支持部２０の場合は短辺方向Ｙにおける長さを示す。
【００３３】
側縁支持部２０を構成する支持片２１は、内側支持片２２と外側支持片２３との２種類に分類される。本実施の形態では、太陽電池パネル１０の側縁１０ａには、支持する側縁１０ａに沿って順に、内側支持片２２、外側支持片２３、および内側支持片２２が配置されている。また、角支持部３０は、隣接する側縁１０ａを支持する２つの側縁支持部２０（内側支持片２２）と組み付けられている。
【００３４】
なお、本発明はこれに限定されず、内側支持片２２および外側支持片２３の数を増やしてもよい。つまり、内側支持片２２と外側支持片２３とを支持する側縁１０ａに沿って交互に配置し、内側支持片２２および外側支持片２３の数を増やすことで、側縁支持部２０の長さを増加させ、さらにサイズの大きい太陽電池パネル１０を支持する構成としてもよい。
【００３５】
図２Ａは、図１の矢符Ａ−Ａでの側縁支持部を主体に示す要部断面図である。
【００３６】
図では、短辺側の側縁支持部２０における内側支持片２２で側縁１０ａを支持している部分を示し、内側溝部２２ａには、太陽電池パネル１０の側縁１０ａがはめ込まれている。
【００３７】
太陽電池パネル１０の裏面１０ｒ側には、太陽電池パネル１０を支持する筐体６０が配置されており、太陽電池パネル１０の側縁１０ａと筐体６０との間には、パネルスペーサ７０が設けられている。つまり、パネルスペーサ７０によって、太陽電池パネル１０と筐体６０との間に隙間が設けられている。また、パネルスペーサ７０は、固化した両面接着剤で形成され、太陽電池パネル１０に筐体６０を固定している。
【００３８】
筐体６０は、アルミニウムなどで形成された平板であって、平面視において、太陽電池パネル１０と一致するサイズとされ、全ての側縁支持部２０および角支持部３０で支持されている。なお、筐体６０の形態はこれに限定されず、例えば、一方の側縁支持部２０と対向して配置された他方の側縁支持部２０とで支持される構成としてもよい。このとき、重ならないように配置された筐体６０を複数備える構成としてもよい。
【００３９】
内側支持片２２と太陽電池パネル１０との間には、充填材で形成された充填部５０を備える。充填材は、例えば、ブチルゴム系接着剤などの流動性を有する材料で形成され、固化させることによって太陽電池パネル１０の端部を封止する充填部５０となる。なお、内側溝部２２ａに充填する充填材の量を調整することによって、充填部５０が内側溝部２２ａからはみ出さない構造とされている。
【００４０】
図２Ｂは、図１の矢符Ｂ−Ｂでの側縁支持部を主体に示す要部断面図である。
【００４１】
図では、短辺側の側縁支持部２０における内側支持片２２および外側支持片２３で側縁１０ａを支持している部分を示し、内側溝部２２ａには、太陽電池パネル１０の側縁がはめ込まれており、内側支持片２２は、外側溝部２３ａにはめ込まれている。
【００４２】
外側溝部２３ａは、開口部に外側溝部２３ａの幅より狭く形成された段差部２３ｂを備える。太陽電池パネル１０の中央から側縁１０ａに向かう方向（図では、長辺方向Ｘ）における内側支持片２２の長さは、段差部２３ｂから外側溝部２３ａの底面までの長さ（後述する外側溝深さＤ１）より短いことが望ましい。この構成によると、段差部２３ｂによって内側支持片２２を係止して、内側支持片２２が外側溝部２３ａの底面から離れることを防止している。
【００４３】
なお、太陽電池パネル１０の中央から側縁１０ａに向かう方向とは、平面視において、側縁支持部２０が支持する側縁１０ａに沿った方向と直交する方向であって、長辺側の側縁支持部２０では短辺方向Ｙに相当し、短辺側の側縁支持部２０では長辺方向Ｘに相当する。
【００４４】
図２Ｃは、図１の矢符Ｃ−Ｃでの側縁支持部を主体に示す要部断面図である。
【００４５】
図では、短辺側の側縁支持部２０における外側支持片２３で側縁１０ａを支持している部分を示し、外側溝部２３ａには、太陽電池パネル１０の側縁１０ａがはめ込まれている。
【００４６】
外側支持片２３は、外側溝部２３ａの外側支持片２３と内側支持片２２とが重ならない領域にスペーサ４０を備える。この構成によると、スペーサ４０を設けて外側溝部２３ａの幅を狭めることによって、太陽電池パネル１０と支持片２１との間に充填される充填材の量を減少させることができる。また、外側溝部２３ａの幅と内側溝部２２ａの幅との差を小さくすることによって、外側溝部２３ａに多量の充填材を充填しない構成として、外側溝部２３ａからあまった充填材がはみ出すことを防ぐことができる。
【００４７】
スペーサ４０は、例えば、ゴムなどで形成されており、受光面１０ｆに対向する外側溝部２３ａの側壁と、裏面１０ｒに対向する外側溝部２３ａの側壁とに貼り付けられている。つまり、２つのスペーサ４０は、太陽電池パネル１０の上方および下方に配置されている。
【００４８】
図２Ｄは、図１の矢符Ｄ−Ｄでの断面図である。
【００４９】
図では、長辺側の側縁支持部２０および角支持部３０で太陽電池パネル１０を支持している部分を示す。
【００５０】
内側支持片２２は、外側支持片２３と角支持部３０とに組み付けられている。なお、角支持部３０には、太陽電池パネル１０および内側支持片２２がはめ込まれる凹部３０ａが形成されている。また、内側支持片２２は、スペーサ４０と接するように挿入されている。つまり、スペーサ４０によって、外側支持片２３と内側支持片２２との長辺方向Ｘでの相対的な位置を決めて重複距離を調節し、側縁支持部２０の長さを確実に太陽電池パネル１０に応じた長さとすることができる。
【００５１】
図３は、外側支持片と内側支持片とのサイズを示す図であって、外側支持片および内側支持片を抜き出して示す説明図である。
【００５２】
内側溝部２２ａの厚さ方向Ｚにおける内側溝幅Ｗ１は、太陽電池パネル１０の厚さより大きく設定されている。
【００５３】
外側溝部２３ａの厚さ方向Ｚにおける外側溝幅Ｗ２は、内側支持片２２の厚さ方向Ｚにおける幅と略一致させることが望ましい。これによって、内側支持片２２を外側溝部２３ａに密着させることができる。
【００５４】
２つのスペーサ４０の厚さ方向Ｚにおける間隔（スペーサ幅Ｗ３）は、内側溝幅Ｗ１と略一致させることが望ましい。これによって、太陽電池パネル１０がはめ込まれる溝の幅を揃えることができる。
【００５５】
段差部２３ｂでの厚さ方向Ｚにおける開口幅は、内側溝幅Ｗ１と一致させることが好ましい。つまり、太陽電池パネル１０がはめ込まれる溝の幅を揃えることで、太陽電池パネル１０を確実に支持することができる。また、内側支持片２２と外側支持片２３とを組み付ける場合、外側支持片２３の長手方向の端部から内側支持片２２を挿入する。
【００５６】
上述したように、外側溝深さＤ１は、太陽電池パネル１０の中央から側縁１０ａに向かう方向（図では、長辺方向Ｘ）における内側支持片２２の長さよりわずかに大きい。
【００５７】
太陽電池モジュール１は、上述した各部材を用いて次のように組み立てられる。
【００５８】
まず、外側支持片２３と内側支持片２２とを組み合わせる。なお、スペーサ４０は、予め外側支持片２３に貼り付けられている。次に、太陽電池パネル１０は、側縁１０ａに予め充填材を塗布し、筐体６０に重ねた状態で、側縁支持部２０にはめ込まれる。上述した一連の動作を繰り返して、全ての側縁１０ａを側縁支持部２０にはめ込む。そして、予め充填材が塗布された角部１０ｂを角支持部３０にはめ込み、充填材を固化させて太陽電池モジュール用フレーム１１に太陽電池パネル１０を固定して、太陽電池モジュール１が組み立てられる。なお、本発明はこれに限定されず、組み立てる手順を入れ替えても構わない。例えば、予め太陽電池モジュール用フレーム１１に太陽電池パネル１０をはめ込んだ後、側縁支持部２０の溝に充填材を充填してもよい。
【００５９】
次に、重複距離の長さを調節した変形例１および変形例２について説明する。
【００６０】
図４は、図１の太陽電池モジュールの変形例１を示す平面図である。
【００６１】
変形例１では、重複距離が距離Ｌ１より短い距離Ｌ２とされている。つまり、重複距離を短くすることで、側縁支持部２０の長さをさらに長くしている。
【００６２】
図５は、図１の太陽電池モジュールの変形例２を示す平面図である。
【００６３】
変形例２では、重複距離が距離Ｌ１より長い距離Ｌ３とされている。つまり、重複距離を長くすることで、側縁支持部２０の長さをさらに短くしている。
【００６４】
なお、変形例１および変形例２では、長辺側の側縁支持部２０の長さのみ調節したが、さらに短辺側の側縁支持部２０の長さを調節してもよい。側縁支持部２０の長さを自在に調節することによって、異なるサイズの太陽電池パネル１０に対応させることができる。
【００６５】
上述したように、本発明の実施の形態１に係る太陽電池モジュール１は、太陽電池モジュール用フレーム１１と、矩形状の太陽電池パネル１０と、支持片２１と太陽電池パネル１０との間に充填材で形成された充填部５０とを備える。この構成によると、太陽電池パネル１０のサイズを適宜設定することができるため、設置する箇所に応じた適切なサイズの太陽電池モジュール１を提供することができる。
【００６６】
＜実施の形態２＞
図６ないし図７Ｄに基づいて、本発明の実施の形態２に係る太陽電池モジュール用フレーム１２および太陽電池モジュール２について説明する。なお、実施の形態１と機能、構造が実質的に等しい構成要素については、同一の符号を付して説明を省略する。
【００６７】
図６は、本発明の実施の形態２に係る太陽電池モジュールの平面図であって、図７Ａは、図６の矢符Ａ−Ａでの側縁支持部を主体に示す要部断面図であり、図７Ｂは、図６の矢符Ｂ−Ｂでの側縁支持部を主体に示す要部断面図である。
【００６８】
本発明の実施の形態２に係る太陽電池モジュール用フレーム１２は、矩形状の太陽電池パネル１０の全周を支持し、太陽電池パネル１０の側縁１０ａを支持する側縁支持部２０と、太陽電池パネル１０の角部１０ｂを支持する角支持部３０とを備える。側縁支持部２０は、太陽電池パネル１０の一側縁を複数の支持片２１で支持する構成とされている。支持片２１は、太陽電池パネル１０の支持する側縁に沿った方向（長辺方向Ｘまたは短辺方向Ｙ）で並べて配置され、隣接する支持片２１と重なっている。
【００６９】
また、本発明の実施の形態２に係る太陽電池モジュール２は、太陽電池パネル１０と太陽電池モジュール用フレーム１２とを備える。
【００７０】
支持片２１は、太陽電池パネル１０の側縁１０ａがはめ込まれる内側溝部２２ａを有する内側支持片２２と、太陽電池パネル１０の側縁１０ａまたは内側支持片２２がはめ込まれる外側溝部２３ａを有する外側支持片２３とで構成されている。内側支持片２２と外側支持片２３とは、内側支持片２２が外側溝部２３ａに密着して重なっている。
【００７１】
実施の形態２に係る太陽電池モジュール用フレーム１２は、実施の形態１と外側支持片２３の構造が異なる。以下では、図７Ｃおよび図７Ｄに基づいて、外側支持片２３の構造について詳述する。
【００７２】
図７Ｃは、図６の矢符Ｃ−Ｃでの側縁支持部を主体に示す要部断面図であって、図７Ｄは、図６の矢符Ｄ−Ｄでの断面図である。
【００７３】
外側支持片２３は、外側溝部２３ａから外部に向かって外側支持片２３を貫通する排出孔２３ｃを備える。この構成によると、排出孔２３ｃから空気や過剰な充填材を排出させることができ、外側溝部２３ａからあまった充填材がはみ出すことを防ぐことができる。
【００７４】
排出孔２３ｃは、裏面１０ｒに対向する外側溝部２３ａの側壁に設けられている。つまり、太陽電池パネル１０の裏面１０ｒ側に設けることによって、排出孔２３ｃを外観上目立たなくすることができる。また、本実施の形態では、１つの外側支持片２３に２つの排出孔２３ｃを設けているが、排出孔２３ｃの数は適宜選択することができる。
【符号の説明】
【００７５】
１、２  太陽電池モジュール
１０  太陽電池パネル
１０ａ  側縁
１０ｂ  角部
１０ｆ  受光面
１０ｒ  裏面
１１、１２  太陽電池モジュール用フレーム
２０  側縁支持部
２１  支持片
２２  内側支持片
２２ａ  内側溝部
２３  外側支持片
２３ａ  外側溝部
２３ｂ  段差部
２３ｃ  排出孔
３０  角支持部
３０ａ  凹部
４０  スペーサ
５０  充填部
６０  筐体
７０  パネルスペーサ
Ｘ  長辺方向
Ｙ  短辺方向
Ｚ  厚さ方向
【図１】
2012253184.tif 000003
【図２Ａ】
2012253184.tif 000004
【図２Ｂ】
2012253184.tif 000005
【図２Ｃ】
2012253184.tif 000006
【図２Ｄ】
2012253184.tif 000007
【図３】
2012253184.tif 000008
【図４】
2012253184.tif 000009
【図５】
2012253184.tif 000010
【図６】
2012253184.tif 000011
【図７Ａ】
2012253184.tif 000012
【図７Ｂ】
2012253184.tif 000013
【図７Ｃ】
2012253184.tif 000014
【図７Ｄ】
2012253184.tif 000015